(57)【要約】【課題】おまけのフィギュア玩具を立体的な構成物として利用したフィギュア玩具入り容器を、従来の製造設備や容器をそのまま利用して簡単な構成で、かつコスト低廉に実現する。【解決手段】、フィギュア玩具入り容器を、上面が開放された容器１と、上面の開放部分がヒートシール４で密閉された状態で前記容器１内に収納されるフィギュア玩具収納用のフィギュアケース２とで構成した。そして、前記フィギュアケース２の上端外周方向には、容器の口部１ａの内周に接してこのフィギュアケース２を容器の内周１ｂとの間に所定の間隙Ｓを有するように保持する鍔部２ａを設け、この鍔部２ａに設けられた穴２ｂから前記間隙Ｓ内に、液状やゲル状あるいは粒状の内容物を充填するようにした。【選択図】図１
0003131474.tif 000002
【実用新案登録請求の範囲】
【請求項１】
上面が開放された容器と、上面の開放部分がヒートシールで密閉され前記容器内に収納されるフィギュア玩具収納用のフィギュアケースとを具備してなるフィギュア玩具入り容器であって、
上記フィギュアケースは、その上端外周方向に、容器の内周に接して該フィギュアケースを容器の内周との間に所定の間隙を有するように保持する穴開きの鍔部が一体的に設けられ、この間隙内に液状やゲル状あるいは粒状などの内容物が収容されるようになされたことを特徴とするフィギュア玩具入り容器。
【請求項２】
上面が開放された容器と、該容器内に収納されるフィギュア玩具収納用のフィギュアケースと、該フィギュアケースの上面開放部分を閉蓋するフィギュアケース蓋とを具備してなるフィギュア玩具入り容器であって、
上記フィギュアケース蓋は、フィギュアケースの上端と係合し、その上面を密閉する蓋部と、蓋部の外周方向に突出した穴開きの鍔部とからなり、該鍔部が容器の内周に嵌入することにより、フィギュアケースを容器の内周との間に所定の間隙を有するように保持し、この間隙内に液状やゲル状あるいは粒状などの内容物が収容されるようになされたことを特徴とするフィギュア玩具入り容器。
【考案の詳細な説明】
【技術分野】
【０００１】
本考案は、キャラクターグッズ等のフィギュアー玩具が、おまけとして収納できるようにした芳香剤などの容器に関する。
【背景技術】
【０００２】
従来、この種のフィギュア玩具が収納できるようにした容器としては、フィギュア収納ケースを別パーツとして容器の外側にセットするものが知られている。（例えば、特許文献１参照）。
【０００３】
また、このような別パーツを用いずに収納できるようにしたものとしては、容器の側面や底面に凹みを形成し、ここにフィギュア玩具を収納するようにしたもの（例えば、特許文献２参照）や、容器内の液体中に直接、フィギュア玩具などの造形品を浸漬するようにしたもの（例えば、特許文献３参照）があった。
【特許文献１】特開２００３−３４１７３２号公報（第３−４頁、図２）
【特許文献２】特開平８−２７５８１８号公報（第２−３頁、図１）
【特許文献３】特開２００２−１２８１７５号公報（第２頁、図１）
【考案の開示】
【考案が解決しようとする課題】
【０００４】
上述した従来のフィギュア玩具入り容器のうち、別容器にフィギュア玩具を収納するようにしたものは、容器の外観が大きくなり、嵩張るという問題点があった。
【０００５】
また、容器の外側に凹みを設けて、ここにフィギュア玩具を収納するようにしたものは、従来の容器製造設備が利用できず、新たに専用の成形用金型を準備しなくてはならないので、設備投資費が嵩み、また、容器自体の形状も複雑になるので、生産性が低下するという問題点があった。また、このように容器に凹みを形成する場合、製造技術上の問題から制限を受け、収納スペースを大きく取れなかったり、あるいは、容器のデザインや形状が制限を受け、外観体裁が重視される化粧料容器などに相応しい形状のものが提供できないという問題点があった。
【０００６】
また、フィギュア玩具などの造形品を、容器内の液体中に浸漬するようにしたものは、衛生面などで問題が生じるおそれがあり、玩具の素材や内容物との関係で種々の制限が生じるという問題点があり、また、内容物を使い切るまで、玩具を取り出せないという問題点も有していた。
【０００７】
本考案は、上記従来のフィギュア玩具入り容器が有していた問題点の解決を課題とする。
【課題を解決するための手段】
【０００８】
上記の問題点を解決するために、本考案のうち、請求項１記載の考案では、フィギュア玩具入り容器を、上面が開放された容器と、上面の開放部分がヒートシールで密閉され前記容器内に収納されるフィギュア玩具収納用のフィギュアケースとで構成し、かつ、上記フィギュアケースを、その上端外周方向に、容器の内周に接して該フィギュアケースを容器の内周との間に所定の間隙を有するように保持する穴開きの鍔部が一体的に設けられたものとし、この間隙内に液状やゲル状あるいは粒状などの内容物が収容されるようにしたことを特徴とする。
【０００９】
請求項２記載の考案は、フィギュア玩具入り容器を、上面が開放された容器と、該容器内に収納されるフィギュア玩具収納用のフィギュアケースと、該フィギュアケースの上面開放部分を閉蓋するフィギュアケース蓋とで構成し、かつ、上記フィギュアケース蓋を、フィギュアケースの上端と係合し、その上面を密閉する蓋部と、蓋部の外周方向に突出した穴開きの鍔部とを有するものとし、この鍔部が容器の内周に嵌入することにより、フィギュアケースを容器の内周との間に所定の間隙を有するように保持し、このことで、この間隙内に液状やゲル状あるいは粒状などの内容物が収容されるようにしたことを特徴とする。
【考案の効果】
【００１０】
上述したように本考案のうち、請求項１記載の考案では、フィギュア玩具入り容器を、上面が開放された容器と、上面がヒートシールで密閉され周囲に穴空きの鍔部が設けられたフィギュアケースとで構成し、フィギュアケースと容器の内周との間に形成される間隙内に、液状やゲル状あるいは粒状や半固形状の内容物を収容するようにしたので、容器自体の外観形状は変わらず、従来の製造設備をそのまま利用できる。よって、容器をコスト低廉にフィギュア玩具入りのものに対応させることができる。また、フィギュアケースに収納されたフィギュア玩具は、容器に収容された内容物と触れないので、衛生的であり、かつ、このフィギュア玩具は、その周囲が内容物で覆われているので、そのまま使用すれば、立体的なデザインとして、特有の趣が得られ、容器に従来には見られない付加価値が与えられる。また、フィギュアケースの上面を塞いだヒートシールを剥せば、内容物の使用前、使用後に関わらず、何時でも収納されたフィギュア玩具を取り出すことができるので、このようにしてフィギュア玩具を取り出して、別途展示し、楽しむこともできる。
【００１１】
また、請求項２記載の考案では、フィギュア玩具入り容器を、上面が開放された容器と、この容器内に収納されるフィギュアケースと、鍔部を有するフィギュアケース蓋とで構成したので、上記請求項１記載の考案の効果に加え、製造時にヒートシールでフィギュアケースを密閉する手間が省かれると共に、消費者の手元に渡った後は、このフィギュアケースの開閉が自由に何度でも行えるので、収納されたフィギュア玩具を好みのものに取り替えたり、あるいはフィギュア玩具に着色など任意の加工を施して入れ直すなどして楽しむことができるという効果がある。
【考案を実施するための最良の形態】
【００１２】
以下、本考案を図示した実施の形態に基づき詳細に説明する。
【００１３】
図１は、本考案のフィギュア玩具入り容器の実施形態を示した半断面図、図２は、図１に示したフィギュア玩具入り容器の平面図、図３は、図１に示されたフィギュアケースの平面図である。
【００１４】
図示したように、このフィギュア玩具入り容器は、上面が開放された容器１と、この容器１内に収納される上面開放状のフィギュアケース２と、前記容器１の上面を塞ぐように取り付けられる容器蓋３とで構成されている。
【００１５】
上記容器１は、ガラスや合成樹脂などの透明や半透明の材料で上面が開放された広口状に形成されたものであり、上端の口部１ａの外周には、容器蓋３が係合するねじ条１ｄが設けられている。また、この口部１ａの下方は、外方に膨らみ、この膨らんだ箇所に容器蓋３の下端が当接する肩部１ｅが設けられている。
【００１６】
容器蓋３は、内周に上記ねじ条１ｄと係合するねじ溝３ａが設けられた碗状のものであり、図２に示すように、その表面には多数のスリット状の開口３ｂが放射状に設けられている。
【００１７】
フィギュアケース２は、上面が開放された有底略円筒形状のものであり、その上端の外周には、フランジ状に鍔部２ａが一体形成されている。この鍔部２ａは、その外径が容器１の口部１ａの内径とほぼ等しい寸法に形成されており、その水平部分には、図３に示すように、複数の穴２ｂが開設されている。このフィギュアケース２は、透明あるいは半透明の合成樹脂で形成されており、内部にキャラクターグッズなどのフィギュア玩具（図示せず）を収納した状態で、その表面の開口部分がヒートシール４で塞がれるようになっている。そして、この状態で、容器１内に強制嵌入されることにより、上記鍔部２ａが容器１の口部１ａの内周と接して、容器１の内周１ｂとの間に所定の間隙Ｓが形成されるようになっている。
【００１８】
なお、上記フィギュア玩具は、フィギュアケース２内の底面に突設されたボス（図示せず）や、両面テープなどを用いて固定されるようになっている。
【００１９】
本考案のフィギュア玩具入り容器は、上記の構成を有している。
【００２０】
そして、上記のようにしてフィギュア玩具入りのフィギュアケース２を、容器１に取り付けた後、このフィギュアケース２の外周と、容器１の内周１ｂとの間に形成された間隙Ｓ内に、鍔部２ａに設けられた穴２ｂから液状やゲル状あるいは粒状の内容物（図示せず）を充填し、容器１上端の開口部分をヒートシール５で密閉することにより、本考案のフィギュア玩具入り容器は完成し、その後、容器１上に容器蓋３を取り付け、商品として出荷されるようになっている。
【００２１】
そして、消費者の手元に渡り、使用する際は、容器１上から容器蓋３を取り外し、容器１の上面に現れたヒートシール５を剥した後、再び容器１に容器蓋３を被せれば良く、このことで容器１内に収容された揮発性を有する内容物は、鍔部２ａに設けられた穴２ｂと、容器蓋３に設けられた開口３ｂを通って大気中に揮発し、このことで除臭／芳香機能を発揮するようになっている。
【００２２】
なお、この時、フィギュアケース１内のフィギュア玩具は、その周囲が内容物で覆われているので、内容物が透視を有する透明あるいは半透明物質の場合、この内容物を透過して立体的なデザインとして認識され、その際、内容物の質感や屈折率などと相俟って特有の趣きが醸し出されるものである。
【００２３】
また、このような使用を好まなかったり、あるいはフィギュア玩具を取り出して、別途、飾りたい場合は、フィギュアケース２の上面を塞いでいるヒートシール４を剥し、フィギュアケース２からフィギュア玩具を取り出せば良く、このようにしても内容物は、フィギュアケース２と容器１との間に収容されているので、何ら問題なく、使用することができる。
【００２４】
図４並びに図５は、本考案の他の実施形態を示したものである。
【００２５】
この実施形態では、フィギュア玩具入り容器を、上面が開放された容器１と、この容器１内に収納されるフィギュアケース１２と、フィギュアケース１２の上面を塞ぐフィギュアケース蓋６とで構成している。
【００２６】
上記フィギュアケース蓋６は、フィギュアケース１２の上端と係合し、その上面を密閉する蓋部６ａと、蓋部６ａの外周方向に突出した穴６ｃ開きの鍔部６ｂとからなり、この鍔部６ｂの外径は、嵌入される容器１の口部１ａの内径とほぼ等しい寸法に設定されている。
【００２７】
なお、図４において符号６ｄは、フィギュアケース１２の口部１ａの内周に係合する環状の係合部、６ｅは、フィギュアケース蓋６をフィギュアケース１２から取り外す際の手掛かりとなる摘みを示している。
【００２８】
そして、この実施形態のフィギュアケースも前記実施形態のものと同様に、内部にキャラクターグッズなどのフィギュア玩具（図示せず）を収納し、容器１内に一体的に嵌め込まれるようになっている。その際、フィギュアケース蓋６の鍔部６ｂが、容器１の口部１ａの内周に接し、フィギュアケース１２を容器１の内周１ｂとの間に所定の間隙Ｓが形成されるように保持するスペーサとしての機能を果たす。
【００２９】
そして、このようにして形成された上記間隙Ｓ内に、フィギュアケース蓋６の鍔部６ｂに設けられた穴６ｃから、液状やゲル状あるいは粒状などの揮発性を有する内容物を充填し、その後、容器１上端の開口部分をヒートシール５で密閉することにより、その揮発を防止する。このようにしてフィギュア玩具と内容物が収容された容器１に、前記実施形態のものと同様の容器蓋を取り付けることにより、本考案のフィギュア玩具入り容器は完成するものである。
【００３０】
そして、このフィギュア玩具入り容器のその後の使用の手順、並びに得られる作用効果は、前述した前記実施形態のものと殆ど同じである。相違した点は、前記実施形態のものが、ヒートシール４でフィギュアケース２の上面が密閉されるのに対して、本実施形態では、フィギュアケース１２の上面がフィギュアケース蓋６で塞がれるようになっていることである。従って、製造過程においては、フィギュアケース１２をヒートシール５で密閉する作業が不要であり、使用の際は、フィギュアケース１２の開閉が何度でも行えるので、収納されたフィギュア玩具を好みのものに取り替えたり、あるいはフィギュア玩具に着色など任意の加工を施して入れ直すなどして楽しむことができる。
【００３１】
本考案のフィギュア玩具入り容器は、上記のようにして使用されるものである。
【００３２】
なお、図示した実施の形態では、揮発性を有する内容物が収容される芳香剤容器を例示したが、本考案のフィギュア玩具入り容器は、フィギュア玩具収納用のフィギュアケース２（または１２）が、容器１の中心部分に取り付けられ、このフィギュアケース２（または１２）と容器１との間に形成される間隙Ｓ内に内容物が充填されるようになっていれば良く、収容される内容物は化粧料、調味料、洗剤など、どのようなものであっても良い。なお、その場合、内容物に応じて鍔部２ａ（または６ｂ）に設けられる穴２ｂ（または６ｃ）の形状や大きさは、適宜変更することとする。また、芳香剤容器以外の場合は、容器蓋３の開口３ｂは、必ずしも設けなくても良い。
【図面の簡単な説明】
【００３３】
【図１】本考案のフィギュア玩具入り容器の実施形態を示した半断面図である
【図２】図１に示した容器の平面図である。
【図３】フィギュアケースの平面図である。
【図４】本考案の他の実施形態を示した半断面図である。
【図５】フィギュアケース蓋の平面図である。
【符号の説明】
【００３４】
１  容器
１ａ  口部
１ｂ  内周
１ｃ  底面
１ｄ  ねじ条
１ｅ  肩部
２，１２  フィギュアケース
２ａ  鍔部
２ｃ  穴
３  容器蓋
３ａ  ねじ溝
３ｂ  開口
４，５  ヒートシール
６  フィギュアケース蓋
６ａ  蓋部
６ｂ  鍔部
６ｃ  穴
６ｄ  環状係合部
６ｅ  摘み
Ｓ  間隙
【図１】
0003131474.tif 000003
【図２】
0003131474.tif 000004
【図３】
0003131474.tif 000005
【図４】
0003131474.tif 000006
【図５】
0003131474.tif 000007